(57)【要約】【課題】ユーザが必要としないシールを剥がし易い構造を有し、この構造を有する箇所を所定の用途で利用し易くする情報処理装置を提供することを課題とする。【解決手段】パーソナルコンピュータ１における第１の筐体４のバッテリ収容壁４ｄに貼付部８を設ける。メーカーからのユーザへのパーソナルコンピュータ１の提供時には、この貼付部８に２次元コードシール１１が貼り付けられて提供される。２次元コードシール１１に刻印されている２次元コードを他の電子機器によって読み取ると、ユーザはパーソナルコンピュータ１の各種情報を入手することができる。貼付部８には底面８ｂに突起部６２が設けられており、突起部６２が存在することでユーザは２次元コードシール１１を剥がしやすく、剥がした後には他の写真シール等を貼って貼付部８を利用することができる。【選択図】図３
2011076490.tif 000002
【特許請求の範囲】
【請求項１】
キーボードが載置された第１の筐体と、
表示装置が収容された第２の筐体と、
前記表示装置と前記キーボードとが対向する第１の位置と、前記表示装置が露出する第２の位置との間で、前記第２の筐体を前記第１の筐体に対して回動可能に接続したヒンジとを備え、
前記第１の筐体には、前記第２の筐体が前記第１の位置で前記第２の筐体と対向する面上であって、前記ヒンジが設けられた端部と当該端部と前記キーボードとの間に、底部が矩形である第１の凹部と、
前記第１の凹部の底部に第２の凹部とが設けられた
ことを特徴とする情報処理装置。
【請求項２】
前記第１の凹部の底面には、突起が設けられたことで第２の凹部が形成されていること
を特徴とする請求項１記載の情報処理装置。
【請求項３】
非粘着層と、前記複数の突起の前記凹部の底面との高さよりも小さい厚みの粘着層と、を有し、前記情報処理装置に関する情報をユーザに提供可能なシールが、
前記粘着層によって前記第１の凹部の底面上に貼り付けられた
ことを特徴とする請求項１記載の情報処理装置。
【請求項４】
前記第２の凹部は前記第１の凹部の底部の端付近の領域に設けられた
ことを特徴とする請求項１記載の情報処理装置。
【発明の詳細な説明】
【技術分野】
【０００１】
本発明は情報処理装置にかかるものであって、特にシールを剥がし易い構造を有する情報処理装置に関する。
【背景技術】
【０００２】
例えばPC（Personal Computer）のような情報処理装置をユーザが購入するとき、ユーザが購入したPCに関する情報を簡易に調べる方法があると、ユーザにとっての利便性は向上する。
【０００３】
ユーザが購入した電子機器の情報を簡易に入手できるように、携帯電話によってマニュアル情報を取得可能とする２次元コードを表示する銘板が表面に設けられる電子機器が提案されている（特許文献１を参照）。
【先行技術文献】
【特許文献】
【０００４】
【特許文献１】特開２００７−１９３６０３号公報
【発明の概要】
【発明が解決しようとする課題】
【０００５】
例えば上述の提案において、２次元コードを用いて取得可能な情報が何度も繰り返し見るような情報でない場合、またユーザがこの情報を必要としない場合には、２次元コードは情報処理装置の表面に設けられたままの状態となってしまっていては、美観がよくない。また、上記提案においてはこの２次元コードが設けられている箇所が、後に他の用途で利用できるようなものではなかった。
【０００６】
本発明は上記問題に鑑みてなされたものであって、ユーザが必要としないシールを剥がし易い構造を有し、この構造を有する箇所を所定の用途で利用し易くする情報処理装置を提供することを目的とする。
【課題を解決するための手段】
【０００７】
本発明にかかる情報処理装置は、キーボードが載置された第１の筐体と、表示装置が収容された第２の筐体と、前記表示装置と前記キーボードとが対向する第１の位置と、前記表示装置が露出する第２の位置との間で、前記第２の筐体を前記第１の筐体に対して回動可能に接続したヒンジとを備え、前記第１の筐体には、前記第２の筐体が前記第１の位置で前記第２の筐体と対向する面上であって、前記ヒンジが設けられた端部と当該端部と前記キーボードとの間に、底部が矩形である第１の凹部と、前記第１の凹部の底部に第２の凹部とが設けられたことを特徴としている。
【発明の効果】
【０００８】
本発明によれば、情報処理装置の筐体の所定の箇所に凹部を設けることで、貼り付けられるシールを剥がし易くする構造を有する情報処理装置を実現することが可能となる。
【図面の簡単な説明】
【０００９】
【図１】第１の実施形態における情報処理装置の一例であるパーソナルコンピュータを示す図。
【図２】第１の実施形態における情報処理装置の一例であるパーソナルコンピュータを示す図。
【図３】第１の実施形態におけるパーソナルコンピュータとパーソナルコンピュータに貼り付けられた２次元コードシールの一例を示す図。
【図４】第１の実施形態におけるパーソナルコンピュータに設けられた貼付部の断面形状の一例を示す断面図。
【図５】第１の実施形態におけるパーソナルコンピュータに設けられた貼付部の形状の一例を示す図。
【図６】第１の変形例におけるパーソナルコンピュータに設けられた貼付部の断面形状の一例を示す断面図。
【図７】第２の変形例におけるパーソナルコンピュータに設けられた貼付部の形状の一例を示す図。
【図８】第３の変形例におけるパーソナルコンピュータに設けられた貼付部の形状の一例を示す図。
【発明を実施するための形態】
【００１０】
以下、本発明の実施の形態を図面を参照しながら説明する。
【００１１】
（第１の実施形態）
図１及び図２は本実施形態における情報処理装置の一例であるパーソナルコンピュータ１を示す図である。パーソナルコンピュータ１は、本体モジュール２と表示モジュール３とで構成されている。
【００１２】
本体モジュール２は、合成樹脂製の第１の筐体４を備えている。第１の筐体４は、上壁４a、底壁４b、周壁４c、バッテリ収容壁４ｄを有するフラットな箱状をなしている。第１の筐体４の上壁４aにパームレスト５およびキーボード取り付け部６が形成されている。パームレスト５は、上壁４aの前半部に位置している。キーボード取り付け部６は、パームレスト５の背後に位置するとともに、キーボード７を支持している。筐体４内のバッテリ収容壁４ｄの付近にはパーソナルコンピュータ１のバッテリが主要されている（図示しない）。
【００１３】
表示モジュール３は、第２の筐体９を有している。第２の筐体９は、第１の筐体４と略同じ大きさのフラットな箱状をなしている。第２の筐体９は、液晶表示パネル１０を収容している。液晶表示パネル１０は、文字情報や画像情報を表示する表示面１０ａを有している。表示面１０ａは、第２の筐体９の前面から表示モジュール３の外に露出している。
【００１４】
表示モジュール３は、ヒンジ１２を介して本体モジュール２の後端部に支持されている。そのため、表示モジュール３は、パームレスト５やキーボード７を上方から覆うように本体モジュール２の上に横たわる閉じ位置と、パームレスト５、キーボード７および表示面１０ａを露出させるように本体モジュール２の後端部から起立する開き位置との間で回動可能となっている。
【００１５】
第１の筐体４のバッテリ収容壁４ｄには矩形型の凹部である貼付部８が設けられている。この貼付部８の形状に関しては図４乃至図５を用いて後述する。
【００１６】
図２は本実施形態におけるパーソナルコンピュータ１とパーソナルコンピュータ１に貼り付けられた２次元コードシール１１の一例を示す図である。
【００１７】
本実施形態においてパーソナルコンピュータ１は出荷時には、第１の筐体４の貼付部８に２次元コードシール１１が貼り付けられた状態で出荷される。この２次元コードシール１１に刻印された２次元コードは例えば携帯電話等の電子機器によって読み取り可能なものとなっている。本実施形態では電子機器によって２次元コードシール１１に刻印された２次元コードより、所定のWebサイトのURL（Uniform Resource Locator）の情報を読み取ることができ、この所定のWebサイトにアクセスすると、Webサイトに載せられたパーソナルコンピュータ１の各種情報を取得することができる。ここでのパーソナルコンピュータ１の各種情報とは例えば、パーソナルコンピュータ１の製品名、製造場所（製造国）、製造年月日、最終検査場所、製造責任者名等が考えられる。本実施形態においては、ユーザが２次元コードシール１１に刻印される２次元コードを用いて所定のWebサイトにアクセスしたとき、取得できる情報は上述のものであると例示するが、これらに限定されない。また、メーカーがユーザに提供する情報が少量であるならば、提供する情報の文字情報を直接２次元コードとして２次元コードシール１１に刻印してもよい。
【００１８】
貼付部８は２次元コードシール１１のような片面に粘着層を有するシールを剥がし易い構造を有している。この構造についてこれから図４を用いて説明する。
【００１９】
図４は本実施形態におけるパーソナルコンピュータ１に設けられた貼付部８の断面形状の一例を示す断面図である。
【００２０】
貼付部８はバッテリ収容壁４ｄに凹型に形成されており、側面８aおよび底面８ｂを有している。更に貼付部８の底面８ｂには突起部４１が設けられている。突起部４１は三角柱が横に並べられたような形状を有しており、複数設けられる。この突起部４１の底面８ｄと最も距離が遠くなる箇所である頂点と、底面８ｄとの距離は（突起部４１の高さは）数１０μｍ程度（例えば１５μｍ〜４０μｍ程度）のものとなっている。一般的なシールは粘着層と非粘着層の２層構造となっており、この粘着層の厚みは１０μｍ程度である。このようにシールの粘着層の厚みより突起部４１の高さの方が大きいため、貼付部８に一般的なシールを貼り付けると、粘着層は突起部４１には接触して貼り付けられるが、貼付部８の底面８ｄには届かない。突起部４１が存在しない場合にはシールは粘着層のほぼ全面によって貼付部８の底面８ｄと貼り付けられるが、突起部４１が存在する場合には粘着層のうちどこにも貼り付けられない箇所が多く存在する。そのため突起部４１を設けると貼付部８にシールを貼り付けたとき、このシールは第１の筐体４に対する粘着力が弱くなり、ユーザはシールを剥がし易くなる。
【００２１】
２次元コードシール１１は貼付部８の側面８aに接触しない大きさとなっている。２次元コードシール１１が側面８aに接触しない大きさであることで、２次元コードシール１１と側面８aとの間にツメを入れる隙間ができるため、ユーザは２次元コードシール１１が不要となったとき、２次元コードシール１１を容易に剥がすことが可能となる。
【００２２】
図５は本実施形態におけるパーソナルコンピュータ１に設けられた貼付部８の形状の一例を示す図である。図５にはパーソナルコンピュータ１を上方から見た貼付部８が示されており、２次元コードシール１１は貼り付けられていない状態である。
【００２３】
図５中の上方向が第２の筐体９が存在する方向であり、下方向がキーボード７が存在する方向である。
【００２４】
突起部４１は図５中、上下方向から左に傾いた方向に、貼付部８の側面８ｂに対して斜めに設けられている。右利きのユーザがシールを剥がすときはシールを右上端から剥がすことが多いので、突起部４１を図５のように上下方向から左に傾かせて設けることで、右利きのユーザがシールを剥がしやすくなる。
【００２５】
本実施形態においてメーカーはユーザにパーソナルコンピュータ１を提供するときに貼付部８に２次元コードシール１１を貼り付けて提供する。すると上述のようにユーザは購入したパーソナルコンピュータ１の各種情報を確認することが可能となる。しかし、この各種情報を見終わった人、又は最初から見ない人等からすると、この２次元コードシール１１は不要なものであり、パーソナルコンピュータ１の美観を損なうものである。そこで、パーソナルコンピュータ１にシールを剥がし易い構造を設けることによってユーザが簡易にシールを剥がすことができ、シールが剥がされることでパーソナルコンピュータ１の美観を向上させることが可能となる。
【００２６】
パーソナルコンピュータ１のような情報処理装置は近年の技術進展により、小型薄型化、軽量化、および低価格化が進んでいる。これにより、ユーザはパーソナルコンピュータを持ち運ぶことが多くなり、更に例えば家族が一人一台パーソナルコンピュータを持つような個人所有が多くなっている。これらによって携帯電話のように自分のパーソナルコンピュータに個性を持たせるため、ユーザは例えば自分の写真や家族の写真等のシール（例えばプリントシール）をパソコンに貼り付けるようなケースが増加するものと考えられる。このとき、パーソナルコンピュータ１に貼付部８のようにシールを剥がしやすい箇所が設けられていると、ユーザは２次元コードシール１１を剥がした後に、その場所を写真シールの貼付場所として活用することが可能となる。また、この写真シールもまた剥がしやすいので更に貼り代えることも可能である。さらに、貼付部８のように凹部としてシールを貼り付ける場所を設ける、また筐体の平面より突起している枠等によって貼付部８を設けるとするとユーザはシールを貼るべき箇所を特定することが可能となり、迷うことなくシールを貼り付けることが可能となる。
【００２７】
また、個人的な写真シール等をパーソナルコンピュータに貼り付ける場合にはシールはユーザが使用時に見やすい箇所に貼り付けられることが好適である。本実施形態ではパーソナルコンピュータ１の第１の筐体４のバッテリ収容壁４ｄ（いわば上壁４aの一部）に貼付部８が設けられているため、ユーザはパーソナルコンピュータ１の使用中シールを見ることが可能である。また、パーソナルコンピュータ１のパームレスト５に貼付部８を設けるとユーザはパーソナルコンピュータ１の使用中（例えばキーボード７を使って操作しているとき等）には自分の両手が邪魔となり、シールを見ることができない。しかし本実施形態におけるパーソナルコンピュータ１ではパームレスト５ではなく、バッテリ収容壁４ｄのようなキーボード７と第２の筐体９との間となる第１の筐体４の上壁４a上の領域に貼付部８が設けられているため、ユーザはパーソナルコンピュータ１の使用中もシールを見ることができ、更に手が接触することのよってシールが汚れてしまうことも回避することができる。
【００２８】
また、本実施形態において貼付部８はパーソナルコンピュータ１の第１の筐体４のバッテリ収容壁４ｄ（いわば上壁４aの一部）に設けられており、パーソナルコンピュータ１を閉じた状態（表示モジュール３を閉じ位置を閉じ位置とした状態）としたときに外部から見えない位置となっている。一般的にユーザはパーソナルコンピュータを持ち運ぶときには閉じた状態にて持ち運ぶため、このように折りたたみ可能なパーソナルコンピュータ（情報処理装置）において、折りたたまれた際に内側となる位置に貼付部を設けることで、例えばユーザがプライベートな写真のシール等を貼ったとき等、この写真を他人に見られることなく（ユーザの個人情報を外部に露出させることなく）、ユーザは安心してシールを貼った上でパーソナルコンピュータを持ち運ぶことが可能となる。
【００２９】
本実施形態では貼付部８はバッテリが格納されている箇所の筐体壁であるバッテリ収容壁４ｄに設けられている。薄型のパーソナルコンピュータ等においてバッテリは筐体内で比較的大きな内部部品となってしまい、バッテリの近くの筐体壁にはスイッチ、キーボード等の外部に露出する部品を設けることが不可能である場合が存在する。このとき、本実施形態のように貼付部８をバッテリ収容壁４ｄに設けると、スイッチ等を設けることの不可能な筐体上のデッドスペースを利用することが可能なる。しかし、貼付部８をバッテリ収容壁４ｄ上に設けることは本実施形態における例示であり、本発明はこれに限定されない。
【００３０】
更に本実施形態においてはメーカーのユーザへのパーソナルコンピュータ１提供時に、２次元コードは２次元コードシール１１として貼り付けられて提供するように例示しているが、これに限定されるものではなく例えば、貼付部８の底面８ｂに直接刻印して提供するものとしてもよい。この場合はユーザは２次元コードを使用したのちは、２次元コードシールを剥がさずに直接個人的なシールを貼ることができる。このとき場合も個人的なシールは剥がしやすくなっているので、ユーザは個人的なシールを簡易に剥がして他のシールへと貼り替えることができる。
【００３１】
（第１の変形例）
第１の実施形態の変形例の一つである第１の変形例を図６を用いて説明する。
【００３２】
以下の変形例の説明については第１の実施形態と同様の部分に関しては説明を割愛し、更に図面内の番号も同様のものには同様の番号を使用する。
【００３３】
図６は本変形例におけるパーソナルコンピュータ１に設けられた貼付部６１の断面形状の一例を示す断面図である。
【００３４】
本変形例におけるパーソナルコンピュータ１は第１の実施形態における貼付部８がなくなり、貼付部８が設けられていた位置と同様の位置に貼付部６１が設けられたものである。
【００３５】
貼付部６１はバッテリ収容壁４ｄに凹型に形成されており、側面６１a及び底面６１bを有している。更に貼付部６１の底面６１ｂには凹部６２が設けられている。この凹部６２は底面６１ｂと最も距離の遠くなる箇所と、底面６１ｂとの距離が（凹部６２の深さが）数１０μｍ程度となっている。また本変形例における突起部６２は上方から見たとき、図５のように貼付部６１の側面６２aのどの面とも平行ではなく、斜めに設けられている。
【００３６】
本変形例におけるパーソナルコンピュータ１は貼付部６１の底面６１ｂに凹部６２が設けられているため、凹部６２が設けられずに２次元コードシール１１の粘着層の全面が底面６１ｂに貼り付けられている場合より、２次元コードシール１１の貼り付けられる面積が小さくなり、２次元コードシール１１のパーソナルコンピュータ１に対する接着する力が弱まるため、ユーザはシールを剥がしやすくなる。
【００３７】
本発明は、本変形例のように貼付部の底面に凹部を設けることによってシールが貼り付けられる面積を小さくすることでシールの粘着力を弱め、シールを剥がしやすくしてもよい。
【００３８】
（第２の変形例）
第１の実施形態の変形例の一つである第２の変形例を図７を用いて説明する。
【００３９】
図７は本実施形態におけるパーソナルコンピュータ１に設けられた貼付部７１の形状の一例を示す図である。図７には上方から見た貼付部７１が示されており、２次元コードシール１１は貼り付けられていない状態である。
【００４０】
本変形例におけるパーソナルコンピュータ１は第１の実施形態における貼付部８がなくなり、貼付部８が設けられていた位置と同様の位置に貼付部７１が設けられたものである。
【００４１】
貼付部７１はバッテリ収容壁４ｄに凹型に形成されており、側面７１a及び底面７１bを有している。更に貼付部７１の底面７１ｂには突起部７２が設けられている。本変形例における突起部７２の断面形状は図４で示されるものと同様に三角形となっている。
【００４２】
本実施形態において突起部７２は貼付部７１の底面７１ｂの端に設けられており、中心部付近には設けられていない。通常、ユーザは２次元コードシール１１のようなシールを剥がすとき、シールの端から剥がす。そのため貼付部７１の底面７１ｂに端に突起部７２を設けておくと、突起部７２を貼付部７１に設けていない場合よりシールは剥がしやすくなるが、底面７１ｂの中心部付近ではシールは底部７１ｂに貼り付いており、しっかりと接着されている。本変形例におけるパーソナルコンピュータ１では、しっかりした接着を保った上でシールは剥がしやすいものとなる。
【００４３】
（第３の変形例）
第１の実施形態の変形例の一つである第３の変形例を図８を用いて説明する。
【００４４】
図８は本実施形態におけるパーソナルコンピュータ１に設けられた貼付部８１の形状の一例を示す図である。図８には上方から見た貼付部８１が示されており、２次元コードシール１１は貼り付けられていない状態である。
【００４５】
本変形例におけるパーソナルコンピュータ１は第１の実施形態における貼付部８がなくなり、貼付部８が設けられていた位置と同様の位置に貼付部８１が設けられたものである。
【００４６】
貼付部８１はバッテリ収容壁４ｄに凹型に形成されており、側面８１a及び底面８１bを有している。更に貼付部８１の底面８１ｂには突起部８２が設けられている。本変形例における突起部８２の断面形状は図４で示されるものと同様に三角形となっている。
【００４７】
本変形例における貼付部８１の突起部８２は底面８１ｂの４隅付近に設けられており、底面８１ｂの中心部付近には設けられていない。通常シールは角の方が爪が引っかかりやすく、ユーザはシールを角から剥がす場合が多い。そのため本変形例のように貼付部８１の底面８１ｂの４隅付近に突起部８２を設けることでユーザはパーソナルコンピュータ１に貼り付けられたシールを剥がしやすくなる。その上で、底面８１ｂの中心部付近ではパーソナルコンピュータ１とシールとはしっかりと接着されるようになる。また貼付部８１には底面８１ｂの内側から外側にかけて複数の段（突起）が形成されるように突起部８２が形成されている。このように構成することでシールにユーザが爪を引っ掛ける方向と垂直に突起部８２の突起が形成されるものとなり、ユーザは爪をより引っ掛けやすくなり、シールを容易に剥がすことが可能となる。
【００４８】
また本変形例では貼付部８１の底面８１ｂの全面に突起部８２が設けられていないため、全面に突起部８２を設ける場合と比較して、パーソナルコンピュータ１を製造する際の作業量（製造工程）を低減することが可能となる。
【００４９】
上述の実施形態及び変形例においては突起又は凹部を上方から見たとき長辺を持つ形状として例示しているが、本発明はこれに限定されず、長辺を持たない、例えば上方から見て円形形状等に突起又は凹部が形成されていてもよい。
【００５０】
本発明におけるパーソナルコンピュータはシールを剥がし易い構造を有し、この構造を有する箇所を所定の用途で利用し易いものとなっている。
【００５１】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。さらに異なる実施形態にわたる構成要素を適宜組み合わせてもよい。
【符号の説明】
【００５２】
１…パーソナルコンピュータ、２…本体モジュール、３…表示モジュール、４…第１の筐体、４a…上壁、４b…底壁、４c…周壁、４ｄ…バッテリ収容壁、５…パームレスト、６…キーボード取付部、７…キーボード、８…貼付部、８a…側面、８ｂ…底面、９…第２の筐体、１０…液晶表示パネル、１０a…液晶表示パネル、１１…２次元コードシール、１２…ヒンジ、４１…突起部、６１…貼付部、６１a…側面、６１ｂ…底面、６２…突起部、７１…貼付部、７１a…側面、７１ｂ…底面、７２…突起部、８１…貼付部、８１a…側面、８１ｂ…底面、８２…突起部
【図１】
2011076490.tif 000003
【図２】
2011076490.tif 000004
【図３】
2011076490.tif 000005
【図４】
2011076490.tif 000006
【図５】
2011076490.tif 000007
【図６】
2011076490.tif 000008
【図７】
2011076490.tif 000009
【図８】
2011076490.tif 000010